(57)【要約】 【課題】  科学イベントの会場や、交通安全教室などで、反射神経に関する知識を実体験を通して学ばせ、自分の反射神経のレベルを認識させる。【解決手段】  反射神経の測定を希望するプレイヤーＡは、起立パネル１の前に立ってスタンバイし、そのプレイヤーＡは、サイドパネル２の脇に立ったアシスタントＢが、一つの錘７を持ち上げることによって落下させたバトン６をすかさず手を差し延べて掴み取る。キャッチしたタイミングや掴んだ位置などを分析することによって、反射神経のレベルを診断する。【選択図】  図３
2006006647.tif 000002
【特許請求の範囲】
【請求項１】
人の背丈より高い起立パネルの前面上部に、任意の物体を一時的に収容する縦筒状の有底ホルダを設け、その有底ホルダの底部を、遠隔操作によって強制的に開閉可能に構成した反射神経測定装置。
【請求項２】
有底ホルダの底部は、ヒンジ機構によって片開き可能に取り付けられた底板を、錘が結び付けられた索状体の折り返し先端を結び付けることによって、錘の自重で引っ張り上げ、閉塞状態を維持可能な構造とした請求項１に記載の反射神経測定装置。
【請求項３】
有底ホルダ内に収容される物体がバトンである請求項１又は２に記載の反射神経測定装置。
【請求項４】
バトンには長手方向の位置を確認できる識別手段を設けた請求項３に記載の反射神経測定装置。
【請求項５】
起立パネルには水平断面がコ字状となるように両側縁にサイドパネルを連設した請求項１〜４のいずれかに記載の反射神経測定装置。
【請求項６】
索状体を、錘が結びつけられている部分をサイドパネルに沿って垂らした状態で配置した請求項２〜５のいずれかに記載の反射神経測定装置。
【発明の詳細な説明】
【技術分野】
【０００１】
本発明は、動作に反応する俊敏さを測定する反射神経測定装置に関する。
【背景技術】
【０００２】
体操が苦手であるとか、自転車や自動車の運転中にブレーキ操作が遅れがちな人は、反射神経の鈍いことが原因の一つとして考えられる。
反射神経は、開いた掌に乗せたコインを素早く奪い取るゲームや、もぐら叩きゲームなどを利用して簡単にチェックできる。
前者は、コイン１つあればどこでもできるメリットはあるが、対戦する相手との能力差が大きいと結果が当てにならないことがある。
後者は個人戦であるが、どのモグラが頭を出すかは予想できず、偶然性や運に左右されることもあって、純粋な反射神経の測定からはほど遠いものの、ゲーム性は高いといえる。
一方、落下するバトンやボールを途中で掴み取る実験を通して、落下速度についての物理的法則を理解させることは授業でよく行われている。
又、種々の運動能力を連続して測定し、プレイヤーの総合運動能力を評価することを目的として、例えば特許文献１に記載のようなスポーツアトラクション装置がある。
【０００３】
【特許文献１】特開平１０−９９５５０号公報
【発明の開示】
【発明が解決しようとする課題】
【０００４】
反射神経がどのくらいのレベルであるかをチェックしておくことは必要であり、体育祭や自動車運転の講習会などのイベントにおいて、反射神経を測定し、ある程度の自覚を持つように指導することが望まれている。
従来は、身近な道具を利用するか、前記特許文献１に記載のような大かがりな装置を利用するかのどちらかで、いずれも両極端すぎる。
そこで、仕掛けが簡単で扱いやすく、利用者も原理や結果を納得しやすく、それでいて効果が絶大な装置の提供が望まれている。
【課題を解決するための手段】
【０００５】
本発明は、イベント会場に設けられた反射神経診断コーナなどにて好適採用可能な反射神経診断装置であって、その構成は、人の背丈より高い起立パネルの前面上部に、任意の物体を一時的に収容する縦筒状の有底ホルダを設け、その有底ホルダの底部を、遠隔操作によって強制的に開閉可能に構成したしたことにあり、前記有底ホルダの底部は、ヒンジ機構によって片開き可能に取り付けられた底板を、錘が結び付けられた索状体の折り返し先端を結び付けることによって、錘の自重で引っ張り上げ、閉塞状態を維持可能な構造とすることができ、前記有底ホルダ内に収容される物体にバトンを採用することができ、バトンを収容する場合、その収容するバトンには長手方向の位置を確認できる識別手段を設けることが望ましい。
【０００６】
又、起立パネルは、水平断面がコ字状となるように両側縁にサイドパネルを連設することができ、サイドパネルを連設した場合は、索状体を、錘が結びつけられている部分をサイドパネルに沿って垂らした状態で配置できる。
尚、本発明において人の背丈以上の起立パネルとは、本装置の利用者により決定されるもので、標準サイズは２ｍ前後、幼児のみを対象とするものであっても、１．５ｍ程度は必要となる。
【発明の効果】
【０００７】
本発明によれば、有底ホルダ内にキャッチしやすい物体を収容しておき、遠隔操作で有底ホルダの底部を開くことによって、有底ホルダ内に収容されている物体が真下に落下するので、その物体を落下中に掴み取った結果から、反射神経のレベルを推定できる。
そして錘が結び付けられた索状体で底板の閉塞状態を維持する構造とすれば、構造がシンプルで遠隔からの操作性にも優れるし、有底ホルダ内に収容する物体をバトンとすれば、掴む部分が落下方向に長いので掴み損ねることがなく、そのバトンに長手方向の位置を確認できる識別手段を設ければ、掴んだ位置により反射神経のより詳細な診断が可能となる。
【０００８】
又、起立パネルを水平断面がコ字状となるよう両側縁にサイドパネルを連設すれば、起立パネルを安定設置することができるし、索状体を、錘が結びつけられている部分がサイドパネルに沿って垂らされた状態で配置すれば、開閉操作のタイミングを悟られにくくなるので、遠隔操作のメリットが生かされる。
【発明を実施するための最良の形態】
【０００９】
本発明に係る反射神経測定装置の実施一例を図面に基づいて説明する。
図１は反射神経測定装置を示したもので、１は、人の背丈より高い平らな起立パネルであって、この起立パネル１は、両側縁にサイドパネル２，２を背面方向へ連設することにより、安定して自立させることが可能になっている。
前記起立パネル１の前面上部には、水平方向に張り出した門型の取り付け枠３が設けられており、その取り付け枠３内に、開口上面からバトンを収容することができる角筒状の有底ホルダ４，４，４が横一列に三連装されている。
【００１０】
前記有底ホルダ４，４，４は、図２に示すように、底板４ａをヒンジ機構により片開き可能に取り付け、その底板４ａを紐体５で引っ張り上げることによって閉塞状態が維持されるようになっている。
この底板４ａが閉塞された状態の有底ホルダ４には、上方よりバトン６を収容保持させておくことができる。
前記底板４ａに結び付けられた紐体５は、有底ホルダ４の角部に付設されたガイド筒４ｂ内を通過した後、水平に方向を変えて起立パネル１に穿設された貫通孔１ａから起立パネル１の裏側に抜け、続いてサイドパネル２に穿設された貫通孔２ａからサイドパネル２の外側に抜け、その貫通孔２ａから外側に導出された先端には錘７が結び付けられている。
紐体５は、錘７により真下に引っ張られることによって、底板４ａと錘６との間が折り返えされた状態に掛け渡されているので、サイドパネル２の外面に沿って垂れ下がるよう配置された紐体５の先に結び付けられている錘７を持ち上げると、紐体５は引っ張り力を失って、底板４ａが開かれる。
このように、錘７を利用した構造によって、前記有底ホルダ４の底部が、遠隔操作で強制的に開閉可能になるし、起立パネル１前面から死角にあたる位置に錘７を配置することによって、開閉操作のタイミングを悟られにく、遠隔操作のメリットが生かされる。
【００１１】
本発明の反射神経測定装置は、例えば、図３の（ａ）に示すように、反射神経の測定を希望するプレイヤーＡは、起立パネル１の前に立ってスタンバイし、アシスタントＢの合図を待つ。
サイドパネル２の脇に立ったアシスタントＢが、「今から３本のバトンのうちの１本を落とします」とアナウンスし、一つの錘７を持ち上げると、その錘７に結ばれた紐体が緩んで有底ホルダ４の底板４ａが開き、その中に収容されていたバトン６が落下する。
プレイヤーＡはすかさず手を差し延べてバトン６を掴み取る。
残る二本のバトンも同様にして掴み取り、キャッチしたタイミングを分析して、反射神経のレベルを判定する。
【００１２】
前記バトンには、例えば図４に示すように、長手方向の位置を確認できる識別手段を設ければ、掴んだ位置により反射神経のレベルを判定しやすくなり、詳細な診断結果を得ることが可能となり、この中で（ａ）に示すバリエーションのバトン６ａは色分けによって位置を把握しやすくしており、（ｂ）に示すバリエーションのバトン６ｂは目盛りを付けて正確な位置を読み取ることを可能とし、（ｃ）に示すバリエーションのバトン６ｃは中央部分を細くして掴みやすくしている。
【００１３】
この実施例では、バトンを落下させるポピュラーな手段を利用しているため、ルールを説明するまでもなく誰にでも気楽に参加しやすく、子供から大人まで楽しみながら反射神経の測定、診断をすることができる。
尚、有底ホルダ内に収容する（落下させる）任意の物体は、ボールやその他のものを適宜に選択でき、有底ホルダの数は３つに限定するものではない。
又、有底ホルダは円筒形でもかまわないし、その有底ホルダの底板は、片開き以外に、スライド式や脱落式などとすることができる。
【００１４】
本発明は、反射神経の測定に特化したため、気を散らす要素がないので反射神経の測定に熱中でき、信頼性が高い測定結果が得られ、紐体に代えてベルトやチェーンなどの索状体を利用できるし、遠隔操作には電気的手段を利用することもできる。
【００１５】
このような反射神経測定装置を、科学イベントの会場や、交通安全教室などで採用すれば、実体験を経ることによって、難しい講義を受講したに匹敵する知識が得られ、反射神経の理論を理解するに留まることなく、ゲーム感覚を武器に参加者を募った結果、プレイヤーが殺到すれば、行事の盛り上がりも期待できる。
【図面の簡単な説明】
【００１６】
【図１】本発明に係る反射神経測定装置の実施例を示した説明図である。
【図２】有底ホルダの説明図である。
【図３】使用形態を示した説明図である。
【図４】バトンのバリエーションを例示した説明図である。
【符号の説明】
【００１７】
１・・起立パネル、１ａ・・貫通孔、２・・サイドパネル、２ａ・・貫通孔、３・・取り付け枠、４・・有底ホルダ、４ａ・・底板、５・・紐体、６，６ａ、６ｂ、６ｃ・・バトン、７・・錘、Ａ・・プレイヤー，Ｂ・・アシスタント。
【図１】
2006006647.tif 000003
【図２】
2006006647.tif 000004
【図３】
2006006647.tif 000005
【図４】
2006006647.tif 000006